(57)【要約】      （修正有）【課題】本体部分も含めて使い捨て可能であり、廃棄によって自然環境を汚染することのないバーベキューグリルを提供する。【解決手段】バーベキューグリル１は、支持フレーム２と、燃料収納箱４と、グリル６と、を備え、支持フレーム２が、紙からなる一対の下部支持板８と、紙からなる一対の上部支持板１０と、を有し、燃料収納箱４が、紙からなる上部が開口された箱型であり、一対の側面の各々に、紙からなる左右一対の支持フラップ２０を有し、支持フラップ２０が、使用時には燃料収納箱４の側面と直交する方向に引き起こすことができる折り畳み可能な構造であり、グリル６が、紙からなる一対の側板３２と、一対の側板３２の間に架け渡される複数の竹串３４と、からなり、支持フレーム２、燃料収納箱４およびグリル６が、これらの部材に形成されたスリット同士を嵌め合わせることで組み立て可能に構成されている。【選択図】図１
0003232158.tif 000002
【実用新案登録請求の範囲】
【請求項１】
バーベキューグリルであって、
支持フレームと、燃料収納箱と、グリルと、を備え、
前記支持フレームが、紙からなる一対の下部支持板と、紙からなる一対の上部支持板と、を有し、前記下部支持板にはその上端側に、上向きに開口する左右一対の第１スリットが形成され、前記上部支持板にはその下端側に、下向きに開口する左右一対の第２スリットが形成されるとともに、その上端側に、上向きに開口する左右一対の第３スリットが形成され、前記第１スリットと前記第２スリットを嵌め合わせることで矩形枠状のフレームを形成可能に構成されており、
前記燃料収納箱が、紙からなる上部が開口された箱型であり、一対の側面の各々に、紙からなる左右一対の支持フラップを有し、前記支持フラップが、前記上部支持板の前記第３スリットに対応する位置に、鉛直方向に沿って配置されており、非使用時には前記燃料収納箱の側面に接するように折り畳まれ、使用時には前記燃料収納箱の側面と直交する方向に引き起こすことができる折り畳み可能な構造であり、その下端側に、下向きに開口する第４スリットが形成されるとともに、その上端側に、上向きに開口する第５スリットが形成され、前記支持フレームの前記第３スリットと前記第４スリットを嵌め合わせることで前記支持フレームに固定可能に構成されており、
前記グリルが、紙からなる一対の側板と、前記一対の側板の間に架け渡される複数の竹串と、からなり、前記側板には、その下端側に、下向きに開口する第６スリットが形成され、前記燃料収納箱の前記支持フラップに形成された前記第５スリットと前記第６スリットを嵌め合わせることで前記燃料収納箱に固定可能に構成されているもの。
【請求項２】
請求項１に記載のバーベキューグリルであって、
前記グリルが、前記一対の側板の上端に複数のＶ字ノッチが形成されており、第１側板のＶ字ノッチと第２側板のＶ字ノッチが相互に対応する位置に形成されており、前記竹串が、第１側板のＶ字ノッチと第２側板のＶ字ノッチの間に架け渡された状態で固定されているもの。
【請求項３】
請求項１に記載のバーベキューグリルであって、
前記グリルが、前記一対の側板の上端に複数の固定穴が形成されており、第１側板の固定穴と第２側板の固定穴が相互に対応する位置に形成されており、前記竹串が、第１側板の固定穴と第２側板の固定穴とを貫通し、第１側板の固定穴と第２側板の固定穴の間に架け渡された状態で固定されているもの。
【請求項４】
請求項１に記載のバーベキューグリルであって、
前記燃料収納箱が、その内面を被覆するように蓄熱層が形成され、前記蓄熱層の内側が燃料収納部となっており、前記燃料収納部にブリケットが収納されているもの。
【請求項５】
請求項４に記載のバーベキューグリルであって、
前記蓄熱層が、火山石、パーライト及び酸化マグネシウムからなる群より選択された少なくとも２種からなる混合物によって構成されており、
前記ブリケットが、竹炭粉末、硝酸カリウム、もち米粉末、塩化ナトリウム及びチタン酸カルシウムからなる混合物によって構成されているもの。
【請求項６】
請求項４に記載のバーベキューグリルであって、
前記蓄熱層が、火山石を３０質量％以上４５質量％以下、パーライトを５５質量％以上７０質量％以下の割合で含む混合物からなるもの。
【請求項７】
請求項４に記載のバーベキューグリルであって、
前記蓄熱層が、酸化マグネシウムを３０質量％以上４５質量％以下、パーライトを５５質量％以上７０質量％以下の割合で含む混合物からなるもの。
【請求項８】
請求項４に記載のバーベキューグリルであって、
前記蓄熱層が、火山石を１５質量％以上２５質量％以下、酸化マグネシウムを１５質量％以上２５質量％以下、パーライトを５０質量％以上７０質量％以下の割合で含む混合物からなるもの。
【請求項９】
請求項４に記載のバーベキューグリルであって、
前記ブリケットが、竹炭粉末を６０質量％以上８０質量％以下、硝酸カリウムを１５質量％以上３０質量％以下、もち米粉末を１質量％以上５質量％以下、塩化ナトリウムを１質量％以上５質量％以下、チタン酸カルシウム１質量％以上５質量％以下の割合で含む混合物からなるもの。
【考案の詳細な説明】
【技術分野】
【０００１】
本考案は、バーベキュー用具の技術分野に属し、具体的には使い捨てタイプのバーベキューグリルに関するものである。
【背景技術】
【０００２】
近年、屋外レジャーとしてバーベキューに人気が集まっている。バーベキューにおいては食材を焼くためのバーベキューグリルが使用される。しかし、バーベキューグリルは持ち運びに不便であり、また、表面が炭や油等で汚れるため、繰り返し使用には適していない。このため、使い捨てタイプのバーベキューグリルが求められている。
【０００３】
例えば、金属板で構成された火床と、前記火床内に収容された火床カバーとを備え、前記火床カバーが可撓性を有する金属箔で構成されたバーベキューグリルが提案されている（特許文献１）。
【先行技術文献】
【特許文献】
【０００４】
【特許文献１】特開２０１６−１０１５２２
【考案の概要】
【考案が解決しようとする課題】
【０００５】
特許文献１に記載のバーベキューグリルは火床カバーが金属箔で構成されているため、使用後に火床カバーを廃棄することはできる。しかし、火床は金属板で構成されており、バーベキューグリル本体をそのまま廃棄すると不燃ごみとなり、自然環境を汚染するという課題があった。
【０００６】
本考案は、前記従来技術が有する課題を解決するものである。すなわち、本考案は、本体部分も含めて使い捨て可能であり、廃棄によって自然環境を汚染することのないバーベキューグリルを提供するものである。
【課題を解決するための手段】
【０００７】
本考案者らは、前記従来技術が有する課題を解決すべく鋭意検討を重ねた結果、プラスチックや金属を一切使用せず、紙や竹等の生分解性の材料のみからバーベキューグリルを構成することによって、前記従来技術が有する課題を解決可能であることを見出して、本考案を完成するに至った。即ち、以下に示す本考案によって前記課題は解決される。
【０００８】
本考案のバーベキューグリルは、以下の構成を有する。
バーベキューグリルであって、支持フレームと、燃料収納箱と、グリルと、を備え、前記支持フレームが、紙からなる一対の下部支持板と、紙からなる一対の上部支持板と、を有し、前記下部支持板にはその上端側に、上向きに開口する左右一対の第１スリットが形成され、前記上部支持板にはその下端側に、下向きに開口する左右一対の第２スリットが形成されるとともに、その上端側に、上向きに開口する左右一対の第３スリットが形成され、前記第１スリットと前記第２スリットを嵌め合わせることで矩形枠状のフレームを形成可能に構成されており、前記燃料収納箱が、紙からなる上部が開口された箱型であり、一対の側面の各々に、紙からなる左右一対の支持フラップを有し、前記支持フラップが、前記上部支持板の前記第３スリットに対応する位置に、鉛直方向に沿って配置されており、非使用時には前記燃料収納箱の側面に接するように折り畳まれ、使用時には前記燃料収納箱の側面と直交する方向に引き起こすことができる折り畳み可能な構造であり、その下端側に、下向きに開口する第４スリットが形成されるとともに、その上端側に、上向きに開口する第５スリットが形成され、前記支持フレームの前記第３スリットと前記第４スリットを嵌め合わせることで前記支持フレームに固定可能に構成されており、前記グリルが、紙からなる一対の側板と、前記一対の側板の間に架け渡される複数の竹串と、からなり、前記側板には、その下端側に、下向きに開口する第６スリットが形成され、前記燃料収納箱の前記支持フラップに形成された前記第５スリットと前記第６スリットを嵌め合わせることで前記燃料収納箱に固定可能に構成されているもの。
【０００９】
本考案のバーベキューグリルは、以下の構成であることが好ましい。
前記グリルが、前記一対の側板の上端に複数のＶ字ノッチが形成されており、第１側板のＶ字ノッチと第２側板のＶ字ノッチが相互に対応する位置に形成されており、前記竹串が、第１側板のＶ字ノッチと第２側板のＶ字ノッチの間に架け渡された状態で固定されているもの。
前記グリルが、前記一対の側板の上端に複数の固定穴が形成されており、第１側板の固定穴と第２側板の固定穴が相互に対応する位置に形成されており、前記竹串が、第１側板の固定穴と第２側板の固定穴とを貫通し、第１側板の固定穴と第２側板の固定穴の間に架け渡された状態で固定されているもの。
前記燃料収納箱が、その内面を被覆するように蓄熱層が形成され、前記蓄熱層の内側が燃料収納部となっており、前記燃料収納部にブリケットが収納されているもの。
前記蓄熱層が、火山石、パーライト及び酸化マグネシウムからなる群より選択された少なくとも２種からなる混合物によって構成されており、前記ブリケットが、竹炭粉末、硝酸カリウム、もち米粉末、塩化ナトリウム及びチタン酸カルシウムからなる混合物によって構成されているもの。
前記蓄熱層が、火山石を３０質量％以上４５質量％以下、パーライトを５５質量％以上７０質量％以下の割合で含む混合物からなるもの。
前記蓄熱層が、酸化マグネシウムを３０質量％以上４５質量％以下、パーライトを５５質量％以上７０質量％以下の割合で含む混合物からなるもの。
前記蓄熱層が、火山石を１５質量％以上２５質量％以下、酸化マグネシウムを１５質量％以上２５質量％以下、パーライトを５０質量％以上７０質量％以下の割合で含む混合物からなるもの。
前記ブリケットが、竹炭粉末を６０質量％以上８０質量％以下、硝酸カリウムを１５質量％以上３０質量％以下、もち米粉末を１質量％以上５質量％以下、塩化ナトリウムを１質量％以上５質量％以下、チタン酸カルシウム１質量％以上５質量％以下の割合で含む混合物からなるもの。
【考案の効果】
【００１０】
本考案のバーベキューグリルは、本体部分も含めて使い捨て可能であり、廃棄によって自然環境を汚染することがない。
【図面の簡単な説明】
【００１１】
【図１】本考案のバーベキューグリルの一の実施形態を模式的に示す斜視図である。
【図２】本考案のバーベキューグリルの別の実施形態を模式的に示す斜視図である。
【図３】図１に示すバーベキューグリルの使用方法（工程１）を示す斜視図である。
【図４】図１に示すバーベキューグリルの使用方法（工程２）を示す斜視図である。
【図５】図１に示すバーベキューグリルの使用方法（工程３）を示す斜視図である。図４に示す芯材を展開した状態を模式的に示す展開図である。
【図６】図１に示すバーベキューグリルの使用方法（工程４）を示す斜視図である。
【図７】図１に示すバーベキューグリルの使用方法（工程５）を示す斜視図である。
【考案を実施するための形態】
【００１２】
以下、図面を参照しながら、本考案を実施するための形態について具体的に説明する。ただし、本考案はその特定事項を満たす全ての実施形態を包含するものであり、以下に示す実施形態のみに限定されるものではない。
【００１３】
［１］本考案のバーベキューグリルの特徴：
本考案のバーベキューグリルは、図１に示すバーベキューグリル１のように、
（１）構成部品である支持フレーム２、燃料収納箱４、グリル６の全てが紙や竹等の生分解性の材料で構成されている点；
（２）支持フレーム２、燃料収納箱４およびグリル６をスリットの嵌め合わせのみで組み立てることができる点；
に特徴がある。
【００１４】
前記の構成を採用することにより、
（１）バーベキューグリルを本体部分も含めて使い捨てにすることが可能となる；
（２）使い捨てにした場合でも構成部品の全てが生分解されるために、廃棄によって自然環境を汚染することがなく、環境に優しい；
（３）工具を必要とせず、組み立てが極めて容易である；
という利点がある。
【００１５】
［２］本考案のバーベキューグリルの構成：
図１に示すバーベキューグリル１は、支持フレーム２と、燃料収納箱４と、グリル６と、を備える。以下の記載における「紙」には、板紙、ボール紙、段ボール等が含まれる。
【００１６】
［２−１］支持フレーム：
図１および図３に示すように、支持フレーム２は、紙からなる一対の下部支持板８と、紙からなる一対の上部支持板１０と、を有する。下部支持板８にはその上端側に、上向きに開口する左右一対の第１スリット１２が形成されている。一方、上部支持板１０にはその下端側に、下向きに開口する左右一対の第２スリット１４が形成されるとともに、その上端側に、上向きに開口する左右一対の第３スリット１６が形成されている。このような構造により、支持フレーム２は、下部支持板８の第１スリット１２と上部支持板１０の第２スリット１４を嵌め合わせることで矩形枠状のフレームを形成可能に構成されている。
【００１７】
［２−２］燃料収納箱：
図１および図４乃至図６に示すように、燃料収納箱４は、紙からなる上部が開口された箱型であり、一対の側面１８の各々に、紙からなる左右一対の支持フラップ２０を有する。支持フラップ２０は、上部支持板１０の第３スリット１６に対応する位置に、鉛直方向に沿って配置されている。そして、支持フラップ２０は、非使用時には燃料収納箱４の側面に接するように折り畳まれ、使用時には燃料収納箱４の側面と直交する方向に引き起こすことができる折り畳み可能な構造である。更に、支持フラップ２０はその下端側に、下向きに開口する第４スリット２２が形成されるとともに、その上端側に、上向きに開口する第５スリット２４が形成されている。このような構造により、燃料収納箱４は、支持フレーム２の第３スリット１６と支持フラップ２０の第４スリット２２を嵌め合わせることで支持フレーム２に固定可能に構成されている。
【００１８】
燃料収納箱４は、その内面を被覆するように蓄熱層２６が形成され、蓄熱層２６の内側が燃料収納部２８となっており、燃料収納部２８にブリケット３０が収納されている。蓄熱層２６は耐火性と断熱性を兼ね備える。蓄熱層２６を有することで、燃料収納部２８内が保温され、着火後にブリケット３０の燃焼を促進する効果がある。また、蓄熱層２６の断熱効果により、金属製グリルのような火傷事故を起こし難くなる。なお、「ブリケット」とは木材の粉末等を圧縮して形成される人工的な薪である。
【００１９】
ブリケット３０は、竹炭粉末、硝酸カリウム、もち米粉末、塩化ナトリウム及びチタン酸カルシウムからなる混合物によって構成されている。このような組成のブリケット３０は燃焼性が高い。
【００２０】
ブリケットの組成は特に限定されないが、例えば、竹炭粉末を６０質量％以上８０質量％以下、硝酸カリウムを１５質量％以上３０質量％以下、もち米粉末を１質量％以上５質量％以下、塩化ナトリウムを１質量％以上５質量％以下、チタン酸カルシウム１質量％以上５質量％以下の割合で含む混合物からなるものを用いることができる。
【００２１】
具体的には、
（１）竹炭粉末を７０％、硝酸カリウムを２０％、もち米粉末を３％、塩化ナトリウムを４％、チタン酸カルシウムを３％の割合で含む混合物からなるもの；
（２）竹炭粉末を８０％、硝酸カリウムを１５％、もち米粉末を２％、塩化ナトリウムを２％、チタン酸カルシウムを１％の割合で含む混合物からなるもの；
を好適に用いることができる。
【００２２】
ブリケットの製法は特に限定されない。例えば、原料成分とその０．５倍質量の水を混合した後、３０℃以上５０℃以下の条件下、金型内で１２時間加圧し、プレス成型する等の方法を用いることができる。
【００２３】
蓄熱層２６は、火山石、パーライト及び酸化マグネシウムからなる群より選択された少なくとも２種からなる混合物によって構成されている。火山石は無機質の中性製品であり、分解後に自然環境を汚染することがなく、パーライトは土壌保護用の材料として、また、クリーンな植物培地として再利用することができる。
【００２４】
蓄熱層の組成は特に限定されないが、例えば、以下のような組成のものを用いることができる。
【００２５】
（１）火山石を３０質量％以上４５質量％以下、パーライトを５５質量％以上７０質量％以下の割合で含む混合物からなるもの。より具体的には、
（１−１）火山石を３０％、パーライトを７０％の割合で含む混合物からなるもの；
（１−２）火山石を４５％、パーライトを５５％の割合で含む混合物からなるもの；
を好適に用いることができる。
【００２６】
（２）酸化マグネシウムを３０質量％以上４５質量％以下、パーライトを５５質量％以上７０質量％以下の割合で含む混合物からなるもの。より具体的には、
（２−１）酸化マグネシウムを３０％、パーライトを７０％の割合で含む混合物からなるもの；
（２−２）酸化マグネシウムを４５％、パーライトを５５％の割合で含む混合物からなるもの；
を好適に用いることができる。
【００２７】
（３）火山石を１５質量％以上２５質量％以下、酸化マグネシウムを１５質量％以上２５質量％以下、パーライトを５０質量％以上７０質量％以下の割合で含む混合物からなるもの。より具体的には、
（３−１）火山石を１５％、酸化マグネシウムを１５％、パーライトを７０％の割合で含む混合物からなるもの；
（３−２）火山石を２５％、酸化マグネシウムを２５％、パーライトを５０％の割合で含む混合物からなるもの；
を好適に用いることができる。
【００２８】
蓄熱層の製法は特に限定されない。例えば、原料成分を等質量の水と混合した後、４０℃以下の条件下、金型内で１２時間加圧し、プレス成型する等の方法を用いることができる。
【００２９】
［２−３］グリル：
図１および図７に示すように、グリル６は、紙からなる一対の側板３２と、一対の側板３２の間に架け渡される複数の竹串３４と、からなる。側板３２には、その下端側に、下向きに開口する第６スリット３６が形成されている。このような構造により、グリル６は、燃料収納箱４の支持フラップ２０に形成された第５スリット２４と第６スリット３６を嵌め合わせることで燃料収納箱４に固定可能に構成されている。
【００３０】
グリル６は、一対の側板３２の上端に複数の固定穴３８が形成されている。そして、第１側板３２Ａの固定穴３８Ａと第２側板３２Ｂの固定穴３８Ｂが相互に対応する位置に形成されている。竹串３４は、第１側板３２Ａの固定穴３８Ａと第２側板３２Ｂの固定穴３８Ｂとを貫通し、第１側板３２Ａの固定穴３８Ａと第２側板３２Ｂの固定穴３８Ｂの間に架け渡された状態で固定されている。竹串３４は固定穴３８にねじ込まれる形で側板３２に固定されている。
【００３１】
但し、竹串３４の固定方法は図１および図７に示す方法には限定されない。例えば、図２に示すバーベキューグリル１００においては、グリル６が、一対の側板４０の上端に複数のＶ字ノッチ４２が形成されている。そして、第１側板４０ＡのＶ字ノッチ４２Ａと第２側板４０ＢのＶ字ノッチ４２Ｂが相互に対応する位置に形成されている。この形態においては、竹串３４は、第１側板４０ＡのＶ字ノッチ４２Ａと第２側板４０ＢのＶ字ノッチ４２Ｂの間に架け渡された状態で固定されている。このような形態においては、例えば、竹串３４を側板４０のＶ字ノッチ４２上に載置した後、竹串３４を接着剤等でラッピングすることで、竹串３４を側板４０に固定することができる。
【００３２】
［３］本考案のバーベキューグリルの使用方法：
本考案のバーベキューグリルは、例えば以下のようにして使用することができる。
【００３３】
まず、図３に示すように、下部支持板８の第１スリット１２に上部支持板１０の第２スリット１４を嵌め合わせ、矩形枠状の支持フレーム２を組み立てる。
【００３４】
次に、図４に示すように、折り畳まれている燃料収納箱４の支持フラップ２０を引き起こす。
【００３５】
更に、図５に示すように、支持フレーム２（上部支持板１０）の第３スリット１６に、燃料収納箱４（支持フラップ２０）の第４スリット２２を嵌め合わせ、燃料収納箱４を支持フレーム２に固定する。
【００３６】
この状態で、図６に示すように、着火源４４を用いてブリケット３０に着火する（炎４６）。
【００３７】
最後に、図７に示すように、燃料収納箱４（支持フラップ２０）の第５スリット２４に、グリル６の第６スリット３６を嵌め合わせ、グリル６を燃料収納箱４に固定する。
【産業上の利用可能性】
【００３８】
本考案のバーベキューグリルは、本体部分も含めて使い捨て可能であり、廃棄によって自然環境を汚染することのないため、屋外でのバーベキュー用途に好適に利用することができる。
【符号の説明】
【００３９】
１，１００：バーベキューグリル
２：支持フレーム
４：燃料収納箱
６：グリル
８：下部支持板
１０：上部支持板
１２：第１スリット
１４：第２スリット
１６：第３スリット
１８：側面
２０：支持フラップ
２２：第４スリット
２４：第５スリット
２６：蓄熱層
２８：燃料収納部
３０：ブリケット
３２：側板
３４：竹串
３６：第６スリット
３８：固定穴
４０：側板
４２：Ｖ字ノッチ
４４：着火源
４６：炎
【図１】
0003232158.tif 000003
【図２】
0003232158.tif 000004
【図３】
0003232158.tif 000005
【図４】
0003232158.tif 000006
【図５】
0003232158.tif 000007
【図６】
0003232158.tif 000008
【図７】
0003232158.tif 000009